(57)【要約】【課題】状況に応じて嵌合程度を調整でき脱着操作が容易であると共に、竿体等の穂先側端部を保護し得る口栓を提供する。【解決手段】この口栓１は、長手方向の一方に開口する収納空間が内部に形成され且つその外周面が周方向に徐々に拡径するテーパ面である保持部分２ａ、及び、保持部分２ａの長手方向の他方に設けられたつまみ部分２ｂを有するゴム体２と、ゴム体２の保持部分２ａの外周面形状に合致する内周面を有し、ゴム体２の保持部分２ａが内部に周方向に回動自在に収納されているパイプ体３とからなる。【選択図】　　　図１
2004129528.tif 000002
【特許請求の範囲】
【請求項１】
竿体や玉網の柄の穂先側端部に装着される口栓であって、
長手方向の一方に開口する竿体等収納空間が内部に形成され且つその外周面が周方向に徐々に拡径するテーパ面である保持部分、及び、前記保持部分の長手方向の他方に設けられたつまみ部分を有するゴム体と、
前記ゴム体の保持部分の外周面形状に合致する内周面を有し、前記ゴム体の保持部分が内部に周方向に回動自在に収納されているパイプ体と
を備える口栓。
【請求項２】
前記ゴム体の保持部分の外周面は、前記保持部分の最大外径と最小外径との臨界が段状に形成されている、請求項１に記載の口栓。
【発明の詳細な説明】
【０００１】
【発明の属する技術分野】
本発明は、竿体や玉網の柄の穂先側端部に装着される口栓に関する。
【０００２】
【従来の技術】
従来の釣竿の中には、複数の筒状の竿体を順次連結して一本の竿体となり、穂先側の竿体から順次竿元側の竿体内に収納可能なものがある。このような釣竿においては、最も大径かつ竿元側に位置する竿体（元竿）内に穂先側の竿体を順次収納した上で、この元竿の穂先側端部に口栓をはめて、釣竿を短く収納する。
【０００３】
また、釣りを行う際に用いる玉網においても、複数の筒状体を順次連結して一本の柄とし、その先端に網枠が連結されているものもある。このような玉網においても、上述の釣竿と同様に、網枠を柄から外した上で、最も大径かつ手元側に位置する筒状体内に先端側の筒状体を順次収納し、この手元側の筒状体の先端側端部に口栓をはめて、玉網の柄を短く収納することになる。
【０００４】
この従来の口栓は、天然・合成の木材やアルミニウム等の金属または弾性合成樹脂から構成される略円筒型の栓部材である。例えば、円筒状の一部分を竿体の穂先側から挿入してはめ込み、竿体等の穂先側端部内周面に嵌着させて装着し、栓をするようになっている（例えば、特許文献１参照）。
ところで、口栓を嵌める竿体や玉網の柄の径は区々である。このため、口栓の竿体等への嵌着力を十分なものとするために、嵌着力を調整可能とした口栓等も提供されている（例えば、特許文献２参照）。
【０００５】
しかし、従来の口栓は、上述のように円筒状の一部分を竿体内にはめ込んで固定するものが多く、嵌着力を調整可能とした上述の口栓も同様である。このような内嵌式の口栓は、竿体等の穂先側端部の保護という点では必ずしも十分ではない。
そこで、障害物などに当たって破損し易い竿体等の穂先側端部を十分に保護するためには外嵌式の口栓であり、なおかつ、竿体等への嵌着力を調整可能な口栓の提供が求められている。
【０００６】
【特許文献１】
特開２００１−３２１０２８号公報（図１）
【０００７】
【特許文献２】
特開平７−２５５３２９号公報（図１・図３）
【０００８】
【発明が解決しようとする課題】
本発明の課題は、状況に応じて嵌合程度を調整でき脱着操作が容易であると共に、竿体等の穂先側端部を保護し得る口栓を提供することにある。
【０００９】
【課題を解決するための手段】
発明１の口栓は、竿体や玉網の柄の穂先側端部に装着される口栓であって、長手方向の一方に開口する竿体等収納空間が内部に形成され且つその外周面が周方向に徐々に拡径するテーパ面である保持部分及び保持部分の長手方向の他方に設けられたつまみ部分を有するゴム体と、ゴム体の保持部分の外周面形状に合致する内周面を有し、ゴム体の保持部分が内部に周方向に回動自在に収納されているパイプ体とを備える。
【００１０】
この口栓は以下のようにして用いられる。竿体や玉網の柄を振出形式で最も手元側に位置する竿体等に順次収納した際に、他の竿体等を収納した竿体等の穂先側の端部をゴム体の保持部分の収納空間内に挿入する。続いて、パイプ体を把持しながら、ゴム体のつまみ部分をひねってゴム体とパイプ体とを相対的に周方向に変位させる。パイプ体の内周面及びゴム体の保持部分の外径のテーパに従って、ゴム体の保持部分は内方向に押し込まれ、保持部分の収納空間の径が圧縮される。このようにして、収納空間内に挿入されている竿体等の嵌着力が変化し、個々の竿体等の径に合致した嵌着力を演出し得る。また、竿体等の穂先側端部を覆うゴム体が竿体等の穂先側端部を保護しその破損を抑える。
【００１１】
例えば、釣り場を移動する等すぐに口栓を外して再び竿体などを引き延ばすような場合には、単に、収納空間内に竿体等を挿入した仮止め状態としておいてもよい。一方、釣りを終えて竿体等を完全に収納する場合には、ゴム体とパイプ体とを相対的に周方向に変位させて、完全に嵌着させた状態としてもよい。
発明２の口栓は、発明１の口栓であって、ゴム体の保持部分の外周面は、保持部分の最大外径と最小外径との臨界が段状に形成されている。
【００１２】
この口栓では、保持部分の径の臨界が段状となっており、パイプ体とゴム体との形状が一致した状態が把握し易い。また、保持部分の径を縮小させるべき方向も認識し易い。
【００１３】
【発明の実施の形態】
以下、本発明の一実施形態について図面を参照しつつ説明する。
本発明の一実施形態を採用した口栓１は、図１に示すように釣竿の元竿１０の穂先側端部に装着される栓部材である。この釣竿は、筒状の元竿１０の穂先側に順次元上竿，中竿，穂先竿等の竿体が振出形式で連結され一本の釣竿となっているものである。そして、各竿体はそれぞれ手元側に位置する竿体内に収納自在であり、最終的に、図１に示すように、元竿１０内に各竿体が収納される。口栓１は、このように他の竿体を収納した元竿１の穂先側端部に装着され、元竿１内の各竿体が穂先側に飛び出してしまうのを抑えるものである。
【００１４】
図２及び図３にも詳しく示すように、口栓１は、略円筒型のゴム体２と、ゴム体２の外周面に配置されるパイプ体３とから構成されている。
ゴム体２は、ウレタンゴム・スチレンゴム等のゴム素材から形成され、円筒状の部分である保持部分２ａと、保持部分の長手方向他端に設けられるつまみ部分２ｂとからなる。このゴム体２を構成するゴム素材は、そのゴム硬度をＨｓ４０〜７０程度の比較的軟質の素材を用いるのがよい。なお、この実施形態では、保持部分２ａとつまみ部分２ｂとが一体的に同一のゴム素材から構成される場合を示すが、両者を別個に形成した後に連結してもよい。また、つまみ部分２ｂは必ずしもゴム素材から構成する必要はない。
【００１５】
保持部分２ａは、長手方向の一方に開口する収納空間が内部に長手方向に伸びて形成されている。収納空間はその内部に上述の元竿１が開口側より挿入される空間である。例えば、その内周面に長手方向に間隔を隔てて周方向に形成される複数の突起などを滑り止め用に形成してもよい。また、開口より元竿１を収納し易くするために開口側ほど内径が拡径するようなテーパを施しても良い。収納空間の内径は市販の多くの元竿１が収納可能なようにφ８〜２４ｍｍ程度に設定される。また、この保持部分２ａの外周面は周方向の一方向に向かって徐々に拡径するテーパ面となっている。そして、最大径部分と最小径部分とは段状になっている。この外周面の段差（即ち、最大径と最小径との差異：図３のΔｘ）は１〜４ｍｍ程度に設定する。
【００１６】
一方、ゴム体２の保持部分２ａの長手方向の他方に設けられたつまみ部分２ｂは、保持部分２ａより大径で径外方向に張り出した部分である。その側周面は指で摘みやすいように滑り止め溝などを形成してもよい。
パイプ体３は、硬質合成樹脂若しくは金属等から構成されるパイプ状の部材である。上述のゴム体２の保持部分２ａを内部に収納するべく、ゴム体２の保持部分２ａの外周面形状に合致するように内周面が設定されている。そして、内部に収納するゴム体２に対して相対的に周方向に回動する。
【００１７】
この口栓１は以下のようにして用いる。
まず、パイプ体３とゴム体２との相互の形状を一致させておく。ゴム体２の外周面形状及びパイプ体３の内周面形状とは径差部分が段状になっており、相互に周方向に回転させることで、ユーザは相互の形状の一致位置は容易に認識できる。
【００１８】
この状態において、図１に示すように、釣竿の各竿体を元竿１０の内部に収納した後、元竿１０の穂先側の端部をゴム体２の保持部分２ａの収納空間内に挿入する。続いて、パイプ体３を把持しながら、ゴム体２のつまみ部分２ｂをひねってゴム体２とパイプ体３とを相対的に周方向に変位させる。パイプ体３の内周面及びゴム体２の保持部分２ａの外径のテーパに従って、ゴム体２の保持部分２ａは径内方向に押し込まれ、保持部分２ａの収納空間の径が圧縮されて、収納空間内の元竿１０の外周面を締め付ける。なお、上述の段により、このような回動時にあってはパイプ体３とゴム体２との回動方向が一方向に制限され、締め付け方向がわかりやすくなっている。
【００１９】
このようにして、収納空間内に挿入されている元竿１０への嵌着力が変化し、個々の竿体等の径に合致した嵌着力を演出し得る。また、元竿１０の穂先側端部をゴム体２が覆うことで、元竿１０の穂先側端部を保護しその破損を抑える。取り外しの際には、逆の手順を踏めば容易に元竿１０を口栓１から取り外し得る。また、例えば、釣り場を移動する等すぐに口栓１を元竿１０から取り外して再び各種竿体を引き延ばして釣りを再開するような場合には、単に、収納空間内に元竿１０を挿入した仮止め状態としておいてもよい。一方、釣りを終えて竿体等を完全に元竿１０内に収納する場合には、上述のようにゴム体２とパイプ体３とを相対的に周方向に変位させて、完全に嵌着させた状態としてもよい。
【００２０】
なお、この実施形態においては、釣竿における口栓１を例示しているが、玉網の柄のように、筒状体を振出形式で連結している部材においても適用可能である。
【００２１】
【発明の効果】
本発明に係る口栓は、状況に応じて嵌合程度を調整でき、竿体等への脱着操作が容易である。また、竿体等の穂先側端部を保護することもできる。
【図面の簡単な説明】
【図１】本発明の一実施形態を採用した口栓１と元竿１０とを示した図。
【図２】図１の口栓１のゴム体２を示した図。
【図３】図１の口栓１のパイプ体３を示した図。
【符号の説明】
１　口栓
２　ゴム体
３　パイプ体
１０　元竿
【図１】
2004129528.tif 000003
【図２】
2004129528.tif 000004
【図３】
2004129528.tif 000005